(57)【要約】本発明は、液体（１０３）用、特に化粧品用静電噴霧器（１０１）に関し、噴霧器（１０１）は、ハウジング（１０４）と、電力源（１０５）と、起動手段（１０６）と、制御電子回路（１０８）と、高電圧源（１０９）と、液体タンク（１１０）と、送出装置（１１１）と、噴霧ノズル（１０２ｂ，１０２ｄ，１０２ｇ）と、を備えている。送出装置（１１１）は液体タンク（１１０）と噴霧ノズル（１０２ｂ，１０２ｄ，１０２ｇ）との間に配置されており、送出装置（１１１）は第１ライン（１１２）によって液体タンク（１１０）に接続されていて、送出装置（１１１）は第２ライン（１１３）によって噴霧ノズル（１０２ｂ，１０２ｄ，１０２ｇ）に接続されており、これにより、送出装置（１１１）は液体タンク（１１０）から液体（１０３）を吸引して噴霧ノズル（１０２ｂ，１０２ｄ，１０２ｇ）に送出する。【選択図】図１
2020517439.tif 000002
【特許請求の範囲】
【請求項１】
液体（１０３）用、特に化粧品用静電噴霧器（１０１）であって、
前記噴霧器（１０１）は、
ハウジング（１０４）と、
電力源（１０５）と、
起動手段（１０６）と、
制御電子回路（１０８）と、
高電圧源（１０９）と、
液体タンク（１１０）と、
送出装置（１１１）と、
噴霧ノズル（１０２ａ〜１０２ｈ）と、を備えており、
前記送出装置（１１１）は前記液体タンク（１１０）と前記噴霧ノズル（１０２ａ〜１０２ｈ）との間に配置されており、
前記送出装置（１１１）は第１ライン（１１２）によって前記液体タンク（１１０）に接続されていて、
前記送出装置（１１１）は第２ライン（１１３）によって前記噴霧ノズル（１０２ａ〜１０２ｈ）に接続されており、これにより、前記送出装置（１１１）は前記液体タンク（１１０）から液体（１０３）を吸引して前記噴霧ノズル（１０２ａ〜１０２ｈ）に送出する、ことを特徴とする静電噴霧器（１０１）。
【請求項２】
前記送出装置（１１１）は、ポンプ（１１４）、特に容積式ポンプとして、好ましくは特に複数のホースのためのホースポンプとして、例えば複数流路の蠕動ポンプとして構成されており、好ましくは、前記液体タンク（１１０）から液体（１０３）を吸引する吸引ポンプ（１１５）であり、ポンプ動作中に、前記ホースポンプ（１１６）は圧延するようにして変形させることによって、送出ホース（１１７）のうち前記第１ライン（１１２）と前記第２ライン（１１３）との間に配置された部分を特に完全に狭窄する、ことが特に提供されている、ことを特徴とする、請求項１記載の噴霧器。
【請求項３】
前記噴霧器（１０１）は切り替えデバイス（１１８）を備えており、前記切り替えデバイス（１１８）を用いて、前記送出装置の送出方向、特にホースポンプ（１１６）のロータ（１１６ａ）の回転方向（ｗ，ｗ’）を切り替えることが可能であり、その切り替えは、前記ホースポンプ（１１６）を、例えば前記液体タンク側にある吸引ポンプとしての送出モードと、例えば前記液体タンク側にある圧力ポンプとしての戻りモードと、の間で切り替え可能であることによりなる、ことを特徴とする、請求項１又は請求項２に記載の噴霧器。
【請求項４】
前記送出装置（１１１）及び／または前記高電圧源（１０９）は起動手段（１０６）を介して起動可能であり、前記起動手段は、特に、スイッチまたはボタン（１０７）であり、前記スイッチまたは前記ボタン（１０７）の作動要素（１０７ａ）は導電性であり、特に、前記噴霧ノズル（１０２ａ〜１０２ｈ）に対して反対極として構成されていて、かつ／または、前記噴霧器は動作状態を使用可能にするメインスイッチを有し、前記メインスイッチは特にスライド、スライドスイッチ、ボタン、またはセンサとして構成されている、ことを特徴とする、請求項１から請求項３のいずれか１項に記載の噴霧器。
【請求項５】
前記噴霧器（１０１）は、音響信号送信器（１１９）及び／または光信号送信器及び／または触覚送信器、特に振動信号送信器、であって、前記制御電子回路（１０８）に接続されている信号送信器を備える、ことを特徴とする、請求項１から請求項４のいずれか１項に記載の噴霧器。
【請求項６】
前記噴霧器（１０１）は接続手段（１２０）を備えており、前記液体タンク（１１０）は、特に自動開放・自動閉鎖弁（１２１）を介して前記接続手段（１２０）に脱着可能に接続されており、かつ／または、前記液体タンクは前記接続手段を備えている、ことを特徴とする、請求項１から請求項５のいずれか１項に記載の噴霧器。
【請求項７】
前記液体タンク（１１０）は自己崩壊タンクとして構成されていて、特にフィルムバッグ（１１０ａ）または受動的な追従ピストンを有する容器を備えている、ことを特徴とする、請求項１から請求項６のいずれか１項に記載の噴霧器。
【請求項８】
前記第１ライン（１１２）、前記第２ライン（１１３）、及び前記送出ホース（１１７）は１つの部品として形成されていて、特に押し出し成形されたプラスチック製ホース、好ましくはゴムホースとして形成されており、接続ホース（１２２）として形成されている、ことを特徴とする、請求項１から請求項７のいずれか１項に記載の噴霧器。
【請求項９】
前記第１ライン及び前記第２ラインは、複数のホース、特に途切れなく一体化されて形成されたホースを備えており、かつ／または、各噴霧ノズルに対して、ホースそれぞれが前記ノズルから前記送出装置、特に前記ホースポンプを通って前記液体タンクへとつながっていて、好ましくは押し出し成形で一体成形されており、特に、並行して延びる複数のホースを備えているホースアセンブリとして形成されている、ことを特徴とする、請求項１から請求項８のいずれか１項に記載の噴霧器。
【請求項１０】
前記液体タンク（１１０）と前記制御電子回路（１０８）及び／または前記液体タンク（１１０）を収容する前記ハウジング（１０４）との間には、前記液体タンク（１１０）を識別する手段（１２３）が構成されており、これらの手段（１２３）は、機械式コーディングとして構成されていて、好ましくはこれによりインターロックが形成されており、かつ／または、例えばＲＦＩＤコーディングなどの電子式コーディングとしてとして構成されていて、特にこれにより前記液体タンクに関する情報を送信し、かつ／または、特に接点を介する電気式ライン経路を形成することによって構成されている電気式コーディングとして構成されている、ことを特徴とする、請求項１から請求項９のいずれか１項に記載の噴霧器。
【請求項１１】
前記噴霧器（１０１）は少なくとも８個、特に少なくとも２０個の噴霧ノズル（１０２ａ〜１０２ｈ）を備えている、ことを特徴とする、請求項１から請求項１０のいずれか１項に記載の噴霧器。
【請求項１２】
前記噴霧器（１０１）は少なくとも２個、好ましくは３個、特に最大で８個の噴霧ノズルを備えている、ことを特徴とする、請求項１から請求項１１のいずれか１項に記載の噴霧器。
【請求項１３】
前記噴霧ノズル（１０２ａ〜１０２ｈ）はノズル配列（１２４）を構成し、前記ノズル配列（１２４）は格子線（１２７ａ〜１２７ｆ）が格子点（１２６ａ〜１２６ｉ）で交差している格子（１２５）として構成されていて、前記噴霧ノズル（１０２ａ〜１０２ｈ）は、平行な格子線（１２７ａ，１２７ｂ，１２７ｃ；１２７ｄ，１２７ｅ，１２７ｆ）の格子点（１２６ａ〜１２６ｉ）、または三角格子構造の頂点を構成することが特に提供されている、ことを特徴とする、請求項１から請求項１２のいずれか１項に記載の噴霧器。
【請求項１４】
前記ハウジング（１０４）は、把持部（１２８）と、ヘッド部（１２９）と、前記把持部（１２８）と前記ヘッド部（１２９）との間に配置された中間部（１３０）とを備えており、前記噴霧ノズル（１０２ａ〜１０２ｈ）は前記ヘッド部（１２９）内に配置され、前記送出装置（１１１）は前記液体タンク（１１０）と前記噴霧ノズル（１０２ａ〜１０２ｈ）との間に配置され、かつ／または、前記噴霧器（１０１；２０１；３０１；４０１）の前記ハウジング（１０４）は長さ（Ｌ１０１；Ｌ２０１；Ｌ３０１；Ｌ４０１）が約１０〜３０ｃｍ、特に約２７ｃｍである、ことを特徴とする、請求項１から請求項１３のいずれか１項に記載の噴霧器。
【請求項１５】
前記ハウジング（１０４）は、把持部（１２８）と、ヘッド部（１２９）と、前記把持部（１２８）と前記ヘッド部（１２９）との間に配置された中間部（１３０）とを備えており、前記噴霧ノズルは前記ヘッド部内に配置され、前記液体タンクは前記送出装置と前記噴霧ノズルとの間に配置され、かつ／または、前記噴霧器（１０１；２０１；３０１；４０１）の前記ハウジング（１０４）は長さ（Ｌ１０１；Ｌ２０１；Ｌ３０１；Ｌ４０１）が約１０〜３０ｃｍ、特に約２７ｃｍである、ことを特徴とする、請求項１から請求項１４のいずれか１項に記載の噴霧器。
【請求項１６】
前記ハウジング（２０１；３０１；４０１）は伸縮式であり、その結果、前記ヘッド部（２２９）と前記把持部（２２８）との間の距離は可変であり、かつ／または、前記ヘッド部（３２９）と前記把持部（３２８）は互いに介して回転可能であり、かつ／または、前記ヘッド部（４２９）及び前記把持部（４２８）は、傾きを調整することによって互いに対して角度が可変である、ことを特徴とする、請求項１から請求項１５のいずれか１項に記載の噴霧器。
【請求項１７】
前記噴霧器（１０１）は前記第１液体タンク（１１０）に加えて第２液体タンクを備えており、かつ／または、前記噴霧器（１０１）は前記第１送出装置（１１１）に加えて第２送出装置を備えていて、かつ／または、前記送出装置と前記噴霧ノズル（１０２ａ〜１０２ｈ）との間には混合デバイスが配置されている、ことを特徴とする、請求項１から請求項１６のいずれか１項に記載の噴霧器。
【請求項１８】
前記噴霧器（１０１）は加熱デバイス（１４０）及び／または冷却デバイス（１４１）を備えていて、前記液体（１０３）は、前記噴霧ノズル（１０２ａ〜１０２ｆ）から放たれる前に所定の温度及び／または粘度を実現するように加熱可能または冷却可能である、ことを特徴とする、請求項１から請求項１７いずれか１項に記載の噴霧器。
【請求項１９】
請求項１から請求項１８のいずれか１項に記載されている噴霧器（１０１）の動作方法であって、前記送出装置（１１１）を、液体（１０３）を前記液体タンク（１１０）から前記噴霧ノズル（１０２ａ〜１０２ｈ）に給送する方向である送出方向と、液体（１０３）を前記噴霧ノズル（１０２ａ〜１０２ｈ）から前記液体タンク（１１０）の方向に給送する方向である戻り方向と、の両方向に前記液体（１０３）を送出するように動作させる、ことを特徴とする方法。
【請求項２０】
液体（１０３）用、特に化粧品用静電噴霧器（１０１）であって、
前記噴霧器（１０１）は、
ハウジング（１０４）と、
電力源（１０５）と、
起動手段（１０６）と、
制御電子回路（１０８）と、
高電圧源（１０９）と、
液体タンク（１１０）と、
送出装置（１１１）と、
噴霧ノズル（１０２ａ〜１０２ｈ）と、を備えていて、
前記制御電子回路（１０８）及び前記高電圧源（１０９）は、前記ハウジング（１０４）の内部空間（１３１）に配置されており、
前記噴霧器（１０１）は非作動位置（Ｒ１０１）と作動可能位置（Ａ１０１）との間で切り替え可能であり、
前記非作動位置（Ｒ１０１）にある前記噴霧ノズル（１０２ａ〜１０２ｈ）は前記ハウジング（１０４）の前記内部空間（１３１）に位置しており、
前記作動可能位置（Ａ１０１）にある前記噴霧ノズル（１０２ａ〜１０２ｈ）は前記ハウジング（１０４）の外側（１３２）を越えて突出していて、
この目的のために、前記ハウジング（１０４）及び前記噴霧ノズル（１０２ａ〜１０２ｈ）は互いに対して可変である、ことを特徴とする、噴霧器（１０１）。
【請求項２１】
前記噴霧器（１０１）はさらに、請求項１〜１８のうちの少なくとも１項の特徴を備えている、ことを特徴とする、請求項２０記載の噴霧器。
【発明の詳細な説明】
【発明の詳細な説明】
【０００１】
本発明は、請求項１または２０の前提部に係る液体用静電噴霧器、及び、請求項１９の前提部に係る静電噴霧器の動作方法に関する。
本発明の文脈では、静電噴霧は、高電圧の影響下において液体を効果的に噴霧する全ての噴霧プロセスを備えている。特に、電気流体力学効果や動電効果も、この種の噴霧概念の範囲に含まれている。本発明の文脈では、静電噴霧はまた、電気流体力学的噴霧を意味するものとして理解されてもよい。
【０００２】
米国特許出願公開第２０１０／０１１６８９７（Ａ１）号明細書は、ハウジング、電力源、起動手段、制御電子回路、高電圧源、液体タンク、送出装置、及び噴霧ノズルを備えている液体用静電噴霧器を開示している。液体の送出は、液体タンク内のスピンドル上で案内されるピストンを用いて行われる。
【０００３】
本発明は、液体タンクを空にすることと噴霧ノズルを供給することを信頼性高く確実に行いながら、同時に液体タンクを低コストで製造することができる、液体用静電噴霧器及び噴霧器の動作方法を提供する目的を核としている。
【０００４】
この目的は、請求項１、２０、または１９の前提部の特徴をベースに、請求項１、２０、または１９を特徴づける特徴により実現される。効果的で好都合な発展形はそれぞれの下位請求項に明示されている。
【０００５】
本発明に係る液体用、特に化粧品用の静電式または電気流体力学式噴霧器の場合、液体タンクと噴霧ノズルとの間には送出装置が配置されており、送出装置は第１ラインによって液体タンクに接続されていて、送出装置は第２ラインによって噴霧ノズルに接続されており、これにより、送出装置は液体タンクから液体を吸引して噴霧ノズルに送出する。このように液体タンクと噴霧ノズルとの間に、または液体導管内に送出装置を配置することによって、液体タンクを製造が簡単な受動構成要素として設計することが可能になる。送出装置が吸引を行う設計は、液体タンク自体は圧力発生要素を全く必要としないことを意味している。また、このようにして、液体タンクに全く負荷をかけずに、液体を噴霧ノズルへと送り出すことができる。
【０００６】
この場合、第１ラインと第２ラインは、好ましくは、一体化されて形成されていてもよく、特に、低コストで製造可能な押し出し成形されたプラスチック製ホースとして設けられていてもよい。このようなホースは、蠕動ポンプ形式でのホースポンプの分野では知られている。しかし、本発明によれば、好ましくは、各噴霧ノズルに対して、別個のホースが液体タンクから噴霧ノズルへとつながっていて、特に各ホースは送出装置、特にホースポンプを備えていて、または、これらのホースは、送出装置、特に複数流路ホースポンプを有するホースアセンブリ（例えばリボンケーブルに類似している）として、液体をそれぞれの噴霧ノズルに送ることが提供されている。
【０００７】
さらなる従属請求項の改善点や効果に関しては、各図面の説明を参照されたい。
本発明の文脈では、格子は、互いに隣接して配置されている縦列と互いに上下に配置されている横列とが数多く配列されているものを意味するとして理解されてもよい。
【０００８】
あるいは、本発明の文脈では、例えばダイヤモンド構造の結晶格子と同様に、格子もまた三角形の各頂点を備えていてもよい。
本発明の文脈では、液体は任意の種類の液体を意味するものとして理解されるべきである。本発明の文脈では、特に、液体は化粧品、日焼け止め剤、または防虫剤であることが提供されている。皮膚を日焼けしたように、または明るくしたように見せる肌色着色剤の使用も想定されている。
【０００９】
しかしながら、液体は液状の塗料またはラッカー等であってもよい。
本発明のさらなる詳細は、模式的に描写されている例示的実施形態に基づいて、各図面内に記載されている。
【図面の簡単な説明】
【００１０】
【図１】図１は噴霧器の実施形態の第１変形例の概略図の断面を示しており、ここで噴霧ノズルは非作動位置にある。
【図２】図２は図１の略図の断面を示しており、ここで噴霧ノズルは作動可能位置にある。
【図３】図３は図１の噴霧ノズル領域である側面を示している。
【図４】図４ａは噴霧器の実施形態の第２変形例の略側面を示しており、図４ｂは伸張した位置で示した図４ａの噴霧器を示している。
【図５】図５ａは噴霧器の実施形態の第３変形例の略側面を示しており、図５ｂは図５ａに示されている噴霧器を、ヘッド部を把持部に対して９０°回転させた状態で示している。
【図６】図６ａは噴霧器の実施形態の第４変形例の略側面を示しており、図６ｂは図６ａに示されている噴霧器を、把持部をヘッド部に対して４５°傾けた状態で示している。
【図７】図７ａは、３つの噴霧ノズルを備えている別の実施形態を、スライドが閉じた状態で示している。図７ｂは、３つの噴霧ノズルを備えている別の実施形態を、スライドが開いた状態で示している。図７ｃは、本図で示しているハウジングの内部にあるサブアセンブリを有する別の実施形態を示している。
【発明を実施するための形態】
【００１１】
図１には、噴霧器１０１の実施形態の第１変形例の概略図の断面が示されており、ここで噴霧ノズル１０２ａ〜１０２ｈは非作動位置Ｒ１０２にある。図２では、図１に示されている噴霧器１０１であって、作動可能位置Ａ１０２にある噴霧ノズル１０２ａ〜１０２ｈを備えている噴霧器１０１が示されている。最後に、図３は、図１に示されている噴霧器１０１の一面を、噴霧ノズル１０２ａ〜１０２ｈの領域の詳細として示している。
【００１２】
静電噴霧器１０１は、液体１０３の静電噴霧を行うためのものである。液体は、本明細書では、より広範な意味での特定の化粧品を意味するものとして理解されているが、例えばペンキやラッカーとしても理解されている。噴霧器１０１は、ハウジング１０４、電力源１０５、電気式ボタン１０７として設計されている起動手段１０６、制御電子回路１０８、高電圧源１０９、液体タンク１１０、送出装置１１１、及び、上述の噴霧ノズル１０２ａ〜１０２ｈを備えている。送出装置１１１は、液体タンク１１０と噴霧ノズル１０２ａ〜１０２ｈとの間に配置されている。送出装置１１１は、ここでは、第１ライン１１２によって液体タンク１１０に、第２ライン１１３によって噴霧ノズル１０２ａ〜１０２ｈにそれぞれ接続されており、これにより、噴射動作中において送出装置１１１は液体タンク１１０から液体１０３を吸引して噴霧ノズル１０２ａ〜１０２ｈに送出する。本例では、ライン１１２，１１３は一体型の連続ホースとして表されている。全体を理解しやすいように、噴霧ノズルのノズルアレイへは１つのホースしか接続されていないように描いている。しかし、多数のホースが噴霧ノズルに供給されていてもよく、特に、各噴霧ノズルに対してそれぞれ１つのホース、あるいは、複数の噴霧ノズルからなる群に対して１つのホースであってもよい。多数のホースを使用する場合、複数ホースポンプを設けるべきであり、複数ホースポンプは、例えば拡大されたロータによって、フラットバンド方式（リボンケーブルと同様）で配置された複数のホースを通って並行して汲み上げることができる。
【００１３】
送出デバイス１１１は、ポンプ１１４、具体的には容積式ポンプ、特に蠕動ポンプとして、吸引ポンプ１１５の様式で構成されている。吸引ポンプ１１５はホースポンプ１１６として構成されており、ポンプ動作中には、第１ライン１１２と第２ライン１１３との間に配置されている送出ホース１１７が、ロータ１１６ａ上に配置されているローラ１１６ｂ，１１６ｃによって交互に圧延するようにして変形されることによって、図１で示しているようにローラ１１６ｂの領域において完全に狭窄されるように設計されている。
【００１４】
噴霧器１０１は切り替えデバイス１１８を備えており、切り替えデバイスを用いて、ホースポンプ１１６のロータ１１６ａの回転方向を、ロータ１１６ａが回転方向ｗに回転する送出モードと、ロータ１１６ａが反対の回転方向ｗ’に回転する戻りモードとをホースポンプが交互に行うように切り替えることが可能である。短時間の戻りモードにより、噴射後に液体１０３が不要に排出されないようにすることが可能になる。ここでは、液体１０３を液体タンク１１０に戻さないことが意図されている。これは第１ライン１１２によって実現されるが、第１ライン１１２は送出ホース１１７のように、弾力的に拡張可能で、戻りによってわずかに拡張して、内部容積の寸法を増すように形成されており、一方、液体タンク１１０は、図示されていない逆止弁で閉鎖されたままである。戻りに対して第１ラインの貯蔵容積を大きく確保するために、第１ラインを、液体タンクを送出装置に接続するのに必要な長さの少なくとも１．５倍、特に２倍の長さにすることが想定される。あるいは、戻りモード中に、少量の液体を切換弁または対応する弁を介して廃棄タンクに送ることが想定される。これにより、第２ライン１１３をほとんど完全に空にすることが可能になる。
【００１５】
送出装置１０１及び高電圧源１０９は起動手段１０６を介して起動可能であり、起動手段１０６は電気式ボタン１０７で構成されている。しかしこの場合、ボタンは電子式ボタンとして、特に容量式センサ、ドライリード接触端子、あるいはホールセンサとして構成されていてもよい。起動手段の場合、ボタン１０７の作動要素１０７ａは導電性であり、噴霧ノズル１０２ａ〜１０２ｂに対して反対極として構成されている。ボタン１０７は噴射のために持続して押す必要があるので、このようにして、噴射デバイス１０１の基準電位への使用者の好適な接続が確保される。
【００１６】
噴霧器１０１は音響信号送信器１１９を備えており、送信器１１９は制御電子回路１０８に接続されている。その結果、噴霧器１０１の正しく使用していること、または間違って使用していることを、使用者に聴覚で知らせることができ、このようにして噴霧器１０１の取り扱いの訓練及び適正化をすることができる。振動信号送信器を追加あるいは代替で設けた場合、これは噴霧器が噴射している時は特定の周波数で常に作動している。異なる周波数で振動することによって、さらなる情報を使用者に伝達することができる。
【００１７】
噴霧器１０１は接続手段１２０を備えており、液体タンク１１０は接続手段１２０に、自動閉鎖弁１２１を介して脱着可能に接続されている。その結果、液体タンク１１０の連結と分離が簡単な手動の動作で可能であり、結果として液体タンク１１０が意図せず流れ出ることが効果的に防止される。
【００１８】
液体タンク１１０は自己崩壊タンクとして構成されていて、このためにフィルムバッグ１１０ａを備えている。このような液体タンクは低コストで製造可能である。さらに、透明な構成要素を適切に使用し、かつ／または開口を適切に配置することで、このような液体タンクの充填液位は目視検査によって簡単に確かめられる。
【００１９】
第１ライン１１２、第２ライン１１３、及び送出ホース１１７は、１つの部品として、接続ホース１２２によって形成されている。その結果、接続箇所の数が削減されるので、付着物が形成されるおそれが低減する。
【００２０】
液体タンク１１０と制御電子回路１０８との間には液体タンク１１０を識別する手段１２３があり、この手段１２３は検出手段として構成されていて、検出手段は液体タンク上に印刷または保存されている情報を検出し、対応する情報を制御電子回路に渡す。その結果、制御電子回路１０８は、高電圧値、ポンプ出力等の様々なパラメータを噴射される液体１０３に適合させることができる。識別手段は特に、噴霧器内の制御電子回路１０８が読み取り可能なＲＦＩＤマーキングとして構成されていてもよい。制御電子回路１０８はまた、マーキング、特にＲＦＩＤマーキングを書き込むことができることが特に好適である。その結果、例えば、液体タンクが初めて使用された日付や既に取り出されていた量を記しておくことが可能である。
【００２１】
噴霧器１０１は、環状に配置された８つの噴霧ノズル１０２ａ〜１０２ｈ（図３参照）を備えている。その結果、数平方センチメートルのまとまった領域に噴射可能であるので、噴射の進行が確実に迅速に行われる。
【００２２】
噴霧ノズル１０２ａ〜１０２ｈはノズル配列１２４（図３参照）を構成しており、ノズル配列１２４は格子線１２７ａ〜１２７ｆが格子点１２６ａ〜１２６ｉで交差している格子１２５として構成されていて、噴霧ノズル１０２ａ〜１０２ｈが平行な格子線の格子点を構成していることが特に提供されている。このような規則的な幾何配列により、液体をより均一に施すことの実現が可能になる。
【００２３】
また、ハウジング１０１は、把持部１２８、ヘッド部１２９、及び把持部１２８とヘッド部１２９の間に配置された中間部１３０を備えており、噴霧ノズル１０２ａ〜１０２ｈはヘッド部１２９に配置され、送出装置１１１は液体タンク１１０と噴霧ノズル１０２ａ〜１０２ｈとの間に配置されていることは、図１及び２から明らかである。
【００２４】
図１から明らかであるように、噴霧器１０１は加熱デバイス１４０と冷却デバイス１４１とを備えており、その結果、液体１０３を加熱または冷却することによって、噴霧ノズル１０２ａ〜１０２ｈから放たれる前に所定の温度及び／または粘度を実現することが可能であることが提供されている。
【００２５】
あるいは、送出装置と噴霧ノズルとの間に液体タンクを配置することが想定される。
図４ａ及び４ｂは噴霧器の実施形態の第２の変形例を示している。噴霧器２０１の場合、ハウジング２０４は伸縮式で設計されているので、ヘッド部２２９と把持部２２８との間の距離が可変である（図４ａと図４ｂを比較）。その結果、使用者にとって、例えば足への噴射がより容易になる。
【００２６】
図５ａ及び５ｂは噴霧器の実施形態の第３変形例を示している。噴霧器３０１の場合、ヘッド部３２９と把持部３２８とは互いに対して回転可能である。図５ａでは、噴霧器３０１は回転されていない状態で示されていて、図５ｂでは、ヘッド部３２９は、把持部３２８に対して縦軸Ｈ３０１を中心にして右に９０°回転しており、その上には図示されていない起動手段が配置されている。このように回転できる機能により、例えば肩への噴射がより簡単になる。
【００２７】
図６ａ及び６ｂは噴霧器の実施形態の第４変形例を示している。噴霧器４０１は把持部４２８を有しており、噴霧器４０１は関節継手を備えているので、把持部４２８はヘッド部４２９に対して傾けることが可能である。その結果、例えば足の裏や背中への噴射がより簡単になる。
【００２８】
図４ａ〜６ａに示されている３つの構造、よってこれらの効果を合体させることを想定することは当然であり、これにより、実用に最適に適応した噴霧器が形成される。
噴霧器２０１，３０１，４０１の場合、それぞれ、約１０〜２５ｃｍである長さＬ２０１，Ｌ３０１，またはＬ４０１で形成し、伸縮式の噴霧器２０１の場合は、１つに押し込めた状態での長さを表している長さＬ２０４で形成する（図４ａ参照）ことが想定される。
【００２９】
図示されていない実施形態の変形例によれば、噴霧器は第１液体タンクに加えて第２液体タンクを備えており、噴霧器は第１送出装置に加えて第２送出装置を備えていて、送出装置と噴霧ノズルの間には混合デバイスが配置されていることが提供されている。このようにして、異なる液体を混合することができる。送出装置をそれぞれ異なるロータ速度で動作させることによって、２つの液体を、量に換算して異なる組成でも混合可能であるので、例えば注意する物質の比率を上げたり下げたりすることができる。
【００３０】
図示されていない実施形態の別の変形例では、噴霧器は加熱デバイス及び／または冷却デバイスを備えていて、液体は、少なくとも１つの噴霧ノズルから放たれる前に所定の温度及び／または粘度を実現するように加熱可能または冷却可能であることを提供する。その結果、異なる周囲条件下であってもほとんど同等な噴射結果が得られる。
【００３１】
液体を液体タンクから噴霧ノズルに給送する送出方向と、液体を噴霧ノズルから液体タンクの方向に給送する戻り方向との両方向に液体を送出するように、送出装置を動作させるようにして、噴霧器を動作させることが想定されている。このように送出装置を２方向に動作させることは、噴射後の液体の流出を確実に防ぐというさらなる関連利益があることを意味している。
【００３２】
図１〜３に示されている噴霧器１０１の場合、既に上述したように、非作動位置Ｒ１０２と作動可能位置Ａ１０２との切り替えが可能である。ここで、非作動位置Ｒ１０２にある噴霧ノズル１０２ａ〜１０２ｈ（図１参照）はハウジング１０４の内部空間１３１内に位置し、作動可能位置Ａ１０２にある噴霧ノズル１０２ａ〜１０２ｈは少なくとも一部がハウジング１０４の外側１３２を越えて突出している（図２参照）。このために、ハウジング１０４と噴霧ノズル１０２ａ〜１０２ｈは互いに対して可動であり、噴霧ノズル１０２ａ〜１０２ｈは台板１３３上に配置されていて、昇降シリンダ１３４により、ハウジング１０４に対して台板１３３とともに移動することができる。このような移動機能は、噴霧器１０１が使用されていない状態のときに噴霧ノズル１０２ａ〜１０２ｈが損傷から保護されることを意味している。さらに、その結果、例えば噴霧器１０１をハンドバッグから取り出すときに不要に引っかかることを確実に防ぐ。
【００３３】
代替として、または追加として、スライド、フラップ、ふた、及び同等の被覆手段で噴霧ノズルを覆うこと、または、これらがハウジングの外側を越えて突き出すようにすることが想定される。特に、これらのスライド、フラップ、またはふたにスイッチを設けて、例えば、スライドを開けると起動して動作できる状態としたり、スライドを閉じるとユニットの電源をオフにしたりする可能性がある。
【００３４】
図７ａ〜７ｃは、本発明に係る噴霧器の実施形態７０１の、この観点におけるさらなる変形例を示している。図７ａはこの場合におけるハウジング７０４がある噴霧器７０１を示している。ハウジング７０４の下方端には液体タンク７１０が配置されていて、本事例では液体タンク７１０は、受動的な追従ピストン（図示せず）を有するタンクとして構成されている。上方端において、ハウジング７０４はスライド７０３を有しており、図７ａでは閉じた状態が示されている。スライド７０３をガイド７０７に沿ってハウジング７０４の下方端の方向にずらすことによって、スライド７０３は図７ｂで表されている位置へと動く。スライド７０３をこのようにずらすことで、３つの噴霧ノズル７０２ａ，７０２ｂ，７０２ｃを有するノズル配列７１１が露出するという結果になる。この場合、スライドは、噴霧器７０１が単に動作できる状態になる切り替え手段を有しており、スライド７０３が開いているとき、つまり、図７ｂに相当する位置にあるときに、制御電子回路７０８上にある必要な構成要素を露出する。
【００３５】
本事例では、ノズル配列７１１は３つの噴霧ノズル７０２ａ，７０２ｂ，７０２ｃを備えており、図示されている型式ではシリコーンで製造されている。本発明によれば、他の材料、特に、噴霧のための静電相互作用に適した、例えばＰＥやＰＰといった硬質プラスチックも考えられる。噴霧に使用される高電圧源７０９からの高電圧により、特にシリコーン製ノズルの場合に、良好な噴霧結果の実現が可能になる。
【００３６】
図７ｂでは、スライド７０３の反対側には電気式ボタン７５０が設けられている。このボタンは噴射動作を起動する機能を果たす。単純な電気式ボタンは別として、例えば容量式スイッチまたは同様のスイッチによるトリガによる電子式スイッチを設けてもよい。ボタンの接触面は、静電噴霧による帯電を防ぐ機能を果たすための使用者の電気接触に利用される。
【００３７】
図７ｃは、噴霧器７０１の図示されている実施形態の構成要素の配置を模式的に示している。液体タンク７１０の上にはホースポンプ７１４が配置されている。噴霧ノズル７０２ａ，７０２ｂ，７０２ｃは、３つのホースを備えているホースアセンブリ７１３を介して接続されていて、各噴霧ノズルは、ホースアセンブリ７１２を介した液体タンクへの複数流路ポンプの構成をしているホースポンプ７１４を介して、それぞれのホースに接続されている。この場合では、ホースアセンブリは、リボンケーブルの構成と同様である、互いに隣接して延在し、押し出し成形で一体化されているホースとして構成されている。
【００３８】
ホースポンプ７１４の後ろには制御電子回路７０８が配置されている。図７ｃに図示されているが、ハウジング７０４の背面には、操作者に接触する、噴霧器を動作させるためのボタン７５０がある。ホースポンプ７１４の上には、電力源としてバッテリー７１５が配置されている。本事例では、バッテリー７１５は、省スペースになるように、図７ｃにおいてノズル配列７１１の後ろに収容されており、図７ｃではスライド７０３が押し上げられていてノズル配列７１１が覆われている。全体構成では高さｈは約２７ｃｍであり、結果として、操作するのに使い勝手がよく、同時に、届きにくい場所、例えば操作者の背中に届かせることができる。
【００３９】
噴霧器の個々の変形例の利点を１つの噴霧器にまとめるために、実施形態の個々の変形例に関して記載された特徴を互いに結合させることも想定される。
【符号の説明】
【００４０】
１０１…噴霧器（第１変形例）、１０２ａ〜１０２ｈ…噴霧ノズル、１０３…液体、１０４…ハウジング、１０５…電力源、１０６…起動手段、１０７…電気式ボタン、１０７ａ…１０７の作動要素、１０８…制御電子回路、１０９…高電圧源、１１０…液体タンク、１１０ａ…フィルムバッグ、１１１…送出装置、１１２…第１ライン、１１３…第２ライン、１１４…ポンプ、１１５…吸引ポンプ、１１６…ホースポンプ、１１７…送出ホース、１１６ａ…ロータ、１１６ｂ，１１６ｃ…ローラ、１１７…送出ホース、１１８…切り替えデバイス、１１９…信号送信器、１２０…接続手段、１２１…弁、１２２…接続ホース、１２３…液体タンク識別手段、１２４…ノズル配列、１２５…格子、１２６ａ〜１２６ｉ…格子点、１２７ａ〜１２７ｆ…格子線、１２８…把持部、１２９…ヘッド部、１３０…中間部、１３１…内部空間、１３２…外側、１３３…台板、１３４…昇降シリンダ、１４０…加熱デバイス、１４１…冷却デバイス、Ａ１０２…作動可能位置、Ｒ１０２…非作動位置、ｗ，ｗ’…回転方向、２０１…噴霧器、２０４…ハウジング、２２８…把持部、２２９…ヘッド部、Ｌ２０１…２０１の長さ、３０１…噴霧器、３２８…把持部、３２９…ヘッド部、Ｈ３０１…３０１の縦軸、Ｌ３０１…３０１の長さ、４０１…噴霧器、４２８…把持部、４２９…ヘッド部、Ｌ４０１…４０１の長さ、７０１…噴霧器、７０２ａ〜７０２ｃ…噴霧ノズル、７０３…スライド、７０４…ハウジング、７０７…ガイド、７０８…制御電子回路、７０９…高電圧源、７１０…液体タンク、７１１…ノズル配列、７１２…ホースアセンブリ、７１３…ホースアセンブリ、７１４…ホースポンプ、７１５…バッテリー、７５０…ボタン、ｈ…ユニットの高さ
【図１】
2020517439.tif 000003
【図２】
2020517439.tif 000004
【図３】
2020517439.tif 000005
【図４ａ】
2020517439.tif 000006
【図４ｂ】
2020517439.tif 000007
【図５ａ】
2020517439.tif 000008
【図５ｂ】
2020517439.tif 000009
【図６ａ】
2020517439.tif 000010
【図６ｂ】
2020517439.tif 000011
【図７】
2020517439.tif 000012
【国際調査報告】
2020517439.tif 000013
2020517439.tif 000014
2020517439.tif 000015
2020517439.tif 000016
2020517439.tif 000017
2020517439.tif 000018
2020517439.tif 000019
2020517439.tif 000020
2020517439.tif 000021